(57)【要約】【課題】  従来のものに比較して、木材の搬入・搬出、内部の検査、保守が容易であり、奥行き如何によっては、台車やレール等を必要とせず、特にフォークリフトだけで長尺の木材の搬入、搬出も可能な木材燻煙炉、又は／及び本体部分が安価であり、従って燻煙処理装置設備全体の設備負担が軽減される木材燻煙炉を提供する。【解決手段】  木材Ｌを燻煙Ｋ、スチームＳ又は／及び温水スプレイＨと接触させ、それによって燻煙処理するところの、燻煙製造部分とは別体のものであって、鋼製箱状の本体部分１０を備え、その本体部分１０に搬入可能な木材Ｌの最大長さが、その本体部分１０の奥行きや高さによらず、開口Ｏの水平方向の長さによって規定されるよう、その開口Ｏが、前記本体部分１０の水平方向の長さが最大の面Ａの一つに、その水平方向の長さが前記面Ａの水平方向の長さと略等しくなるよう形成されている【選択図】    図１
2005096110.tif 000002
【特許請求の範囲】
【請求項１】
木材（Ｌ）を燻煙（Ｋ）、スチーム（Ｓ）又は／及び温水スプレイ（Ｈ）と接触させ、それによって燻煙処理するところの、燻煙製造部分とは別体の木材燻煙炉であって、鋼製箱状の本体部分（１０）を備え、開口（Ｏ）が、前記本体部分（１０）の水平方向の長さが最大の面（Ａ）の一つに形成されると共に、その開口（Ｏ）の水平方向の長さが前記面（Ａ）の水平方向の長さと略等しくなるよう設定されている
ことを特徴とする木材燻煙炉。
【請求項２】
木材（Ｌ）を燻煙（Ｋ）、スチーム（Ｓ）又は／及び温水スプレイ（Ｈ）と接触させ、それによって燻煙処理するところの、燻煙製造部分とは別体の木材燻煙炉であって、例えば貨物輸送用に大量生産され、安価で入手可能、且つ堅牢な鋼製箱状のコンテナが転用された本体部分（１０）の側面の一つに木材（Ｌ）の搬入・搬出用の開口（Ｏ）が形成されていることを特徴とする木材燻煙炉。
【請求項３】
前記開口（Ｏ）が、前記本体部分（１０）の側面のうち、水平方向の長さが大きい方の面（Ａ）の一つに形成されると共に、その開口（Ｏ）の水平方向の長さが前記面（Ａ）の水平方向の長さと略等しくなるよう設定されていることを特徴とする、請求項２に記載の木材燻煙炉。
【請求項４】
前記開口（Ｏ）を開閉するシャッタ（２２）が、建築部材として大量生産され、安価で入手可能なものであり、且つ前記開口（Ｏ）の上側への巻取り、及びその上側から下方への展開によって、その開口（Ｏ）を開閉するよう構成されていることを特徴とする、請求項２又は３に記載の木材燻煙炉。
【発明の詳細な説明】
【技術分野】
【０００１】
本発明は、木材を燻煙、スチーム又は／及び温水スプレイとの接触によって燻煙処理する木材燻煙炉であって、従来のものに比較して木材の搬入・搬出、内部での点検保守作業にが容易な木材燻煙炉、又は／及び本体部分が安価であり、従って燻煙処理装置設備全体の設備負担が軽減される木材燻煙炉に関する。
【背景技術】
【０００２】
燻煙、スチーム又は／及び温水スプレイとの接触による木材の燻煙処理は、木材の表面、内部への、燻煙成分の付着、含浸、吸着、乾燥、歪みの除去を行なうものであって、処理された木材は、人体への悪影響もなく、防虫・防黴・防腐性が高く、耐久性に優れているという特徴を有することから、環境に最も優しい、良質の建築材として、その評価が高まり、普及が進みつつある。そのうえ、間伐材、鋸屑等の廃木質片の乾留や燃焼による燻煙や乾燥ガスの製造によって、それらの有効利用及びダイオキシン・亜硫酸ガス、酸化窒素等の有害性分を含まないクリーンな排ガスの放出という効果も付加される。
【０００３】
その木材燻煙炉として、多くの提案がなされている。その中には、燻煙等の製造が内部で行われるもの、燻煙等の製造が外部で行われ、配管によって導入されるもの、燻煙を含むガスが内部で循環されるもの、配管を介して外部循環が行われるもの、木材が燻煙処理の前又は後で燻液又は木酢液に浸漬されるもの等がある。
【０００４】
しかしながら、前記燻煙等の製造が内部で行われるものは、外部で行われ、配管によって導入されるものに比較して、それ自体は立体化や配管スペースの低減等設置面積の低減、スペースの有効利用の点では有利であるが、例えば燻煙発生部分と燻煙処理が行われる部分とは温度か異なり、それぞれ保温、断熱材の種類が異なる他、燻煙炉自体の構造が複雑になるだけでなく、スペースや構造の制約から木材と燻煙等との均一な接触が得られにくいという欠点がある。
【０００５】
また、燻煙を含むガスの外部循環が行われるものは、内部循環しか行われないものに比較して、木材と燻煙等との均一な接触が強化されると共に、濃厚な燻煙を入れ、効果の薄くなったガスを排出することが自由に行われ、燻煙を含むガスの有効活用が図られると言う長所はあるが、それだけ設備か複雑化し、所用動力が増大すると言う問題点もある。木材の燻煙処理の前又は後での燻液又は木酢液への浸漬は、得られた乾燥木材の付加価値を増大させるが、他方工程が複雑となるという問題点がある。すなわち、それぞれ一長一短がある。
【０００６】
さらに、従来の長尺木材処理用の木材燻煙炉は、概して、処理される木材の最大長さに合わせて、その長さが設定されると共に、面積の最も小さい一側面に開口が設けられていて、そのうえ、木材燻煙炉の内外には木材搬入を容易にする台車を案内するレールが敷設されている（例えば特許文献１，２）。なお、前記開口の開閉のために観音開きの扉又は上下に昇降する引き戸が付設されている。
【０００７】
そのため、木材燻煙炉の検査、保守に当たっても、作業員は開口から奥深く入って、閉じ込められたような状態で作業する必要があり、それが長ければ、長い程作業環境は悪くなり、作業性が悪化し、その作業者の負担が増大すると言う問題点がある。
【０００８】
そのうえ、上述の台車とレールによる負担増だけでなく、木材燻煙炉の外にも、処理される木材の最大長さに合わせてレールが延長され、それに要する細長いスベースが確保されなければならないと言う問題点がある。なお、なお、レールなしに、台車のみによる木材の搬入も考えられないことはないが、それでも台車上に載せた木材をその搬入方向に配置するための細長いスペースは必要である。
【０００９】
３番目に、木材の燻煙設備そのものの数もまだ少なく、木材燻煙炉は燻煙発生部分に比べて大きく、しかも、その形状・構成も多様であって、ボイラ等と異なり、安価な規格汎用品に依存することが出来ず、注文に応じて設計製作されるものであって、木材の燻煙設備全体に占めるそれの設備費の割合が高く、従って木材の燻煙設備全体も高くなると言う問題点があり、必要な性能を充たすことは勿論であるが、各種災害にも耐えるよう堅牢で安価な木材燻煙炉が求められている。
【特許文献１】特開２０００−９４００６号公報（発明の実施の形態の００１９及び図２乃至５）
【特許文献２】特開２００１−２６０１０５号公報（発明の実施の形態の０００８及び図1）
【発明の開示】
【発明が解決しようとする課題】
【００１０】
以上のことから、本発明は、上記した従来技術の欠点を除くために、従来のものに比較して木材の搬入・搬出、内部での点検保守作業にが容易であり、好ましくは台車やレール等を必要とせず、特にフォークリフトだけで長尺の木材の搬入、搬出も可能な木材燻煙炉、又は／及び本体部分が安価であり、従って燻煙処理装置設備全体の設備負担が軽減される木材燻煙炉を提供することにある。
【課題を解決するための手段】
【００１１】
上記の目的を達するために、請求項１の発明に係わる木材燻煙炉は、木材Ｌを燻煙Ｋ、スチームＳ又は／及び温水スプレイＨと接触させ、それによって燻煙処理するところの、燻煙製造部分とは別体のものであって、（鋼製箱状の本体部分１０を備え、その本体部分１０に搬入可能な木材Ｌの最大長さが、その本体部分１０の奥行きや高さによらず、開口Ｏの水平方向の長さによって規定されるよう、）その開口Ｏが、前記本体部分１０の水平方向の長さが最大の面Ａの一つに形成されると共に、その水平方向の長さが前記面Ａの水平方向の長さと略等しくなるよう設定されている。
【００１２】
請求項２の発明に係わる木材燻煙炉は、同じく、木材Ｌを燻煙Ｋ、スチームＳ又は／及び温水スプレイＨと接触させ、それによって燻煙処理するところの、燻煙製造部分とは別体のものであって、例えば貨物輸送用に大量生産され、安価で入手可能、且つ堅牢な鋼製箱状のコンテナが転用された本体部分１０の側面の一つに木材Ｌの搬入・搬出用の開口Ｏが形成されている。
【００１３】
請求項３の発明は、請求項２の発明の構成に加えて、前記開口Ｏが、前記本体部分１０の側面のうち、水平方向の長さが大きい方の面Ａの一つに形成されると共に、その開口Ｏの水平方向の長さが前記面Ａの水平方向の長さと略等しくなるよう設定されている。
【００１４】
請求項４の発明は、請求項２又は３の発明の構成に加えて、前記開口Ｏを開閉するシャッタ２２が、建築部材として大量生産され、安価で入手可能なものであり、且つ前記開口Ｏの上側への巻取り、及びその上側から下方への展開によって、その開口Ｏを開閉するよう構成されている。
【発明の効果】
【００１５】
請求項１の発明によれば、面積の最も小さい一側面に開口が設けられ、そのうえ、木材燻煙炉の内外には木材搬入を容易にする台車を案内するレールが敷設されていた従来例に比較して、間口が広く、奥行きが浅くなり、作業に当る作業員は閉じ込められたという感じがせず、検査、保守作業を容易に行なうことが出来る。また、奥行きの深さに如何では、木材Ｌの搬入、搬出に台車もレールも必要でなく、フォークリフトのみによって直接可能となり、それだけ設備的負担が著しく軽減される。
【００１６】
そのうえ、木材Ｌの搬入、搬出のためには、開口Ｏの前に本体部分１０の長手方向に沿って比較的狭いスペースが確保されればよく、従来例の、木材燻煙炉の外にも、処理される木材の最大長さに合わせ長さのレールが延長される等、それだけ長いスベースが確保されなければならないと言う問題点も併せて解消され、スペースの有効活用が可能となる。
【００１７】
請求項２の発明によれば、貨物輸送用のコンテナは大量生産品であって安価で入手可能であり、しかも、その形状、大きさ、気密性、構造強度の点で木材燻煙炉の本体部分１０として最適であって、開口Ｏの部分及びシャッタ２２を除けば加工量も少なく、且つ容易であり、単に燻煙処理に必要な、主として安価な管類、保温材、天井ファンＡｇ、センサ等の部材が取り付けられるだけでよく、いずれも汎用品又は汎用品に近いものが使用可能であるため、その設備費が著しく低減される。
【００１８】
特に本体部分１０に、広く販売されており、著しく安価な貨物輸送用のコンテナの中古品が転用されれば、設備費はさらに大きく低減される。なお、面積の最も小さい一側面に既設の開口と扉がそのまま利用されれば、燻煙に必要な主として安価な部材の取り付けを除けば、加工部分は殆どない。
【００１９】
請求項３の発明によれば、請求項２の発明の効果に加えて、請求項１の発明の効果と同様の効果が発揮される。
【００２０】
請求項４の発明によれば、請求項２又は３の発明の効果に加えて、シャッタ２２も大量生産品であって、安価で入手可能であり、さらに設備費が低減される。
【発明を実施するための最良の形態】
【００２１】
本発明を実施するため最良の形態に関わる木材燻煙炉について図１乃至４により説明する。１０は後述する燻煙製造部分とは燻煙発生炉の本体であって、例えば貨物輸送用に大量生産され、安価で入手可能、且つ堅牢な鋼製箱状のコンテナが転用されたものであり、且つ、その側面の一つに木材Ｌの搬入・搬出用の開口Ｏが形成されている。
【００２２】
しかも、後述の狙いから、鋼製箱状の本体部分１０を備え、その本体部分１０に搬入可能な木材Ｌの最大長さが、その本体部分１０の奥行きや高さによらず、開口Ｏの水平方向の長さによって規定されるよう、その開口Ｏが、前記本体部分１０の側面のうち、水平方向の長さが大きい方の面Ａの一つに、それが切り欠かれることによって形成されると共に、その水平方向の長さが前記面Ａの水平方向の長さと略等しくなるよう設定されている。
【００２３】
しかしながら、必ずしもこのことに限定されるものではない。すなわち、例えば既設の引き戸がある場合は、その引き戸が取り外された後、その面が切り欠かれ、開口Ｏが形成されてもよく、また、貨物輸送用のコンテナの転用でない場合は、開口Ｏが、前記本体部分１０の６つの面のうち、水平方向の長さが最大の面Ａの一つに形成されてもよい。さらに、後述の理由から、貨物輸送用コンテナの転用の場合、例えば最も面積の小さい端面の一つに既設の開口とそれを開閉する観音扉があれば、そのまま使用されることがあってもよい。
【００２４】
さらに、前記開口Ｏを開閉するシャッタ２２として、建築部材として大量生産され、安価に入手可能な市販品のいわゆるバランスシャッタが使用されている。すなわち、前記開口Ｏの上側に取り付けられた巻取部２１内のスプリングによる巻取り、及びその上側から下方への展開が容易に構成されたものである。なお、開口Ｏの水平方向の長さが大きい場合、複数のシャッタが必要になることもあるが、その場合は隣り合う２つのシャッタ間に脱着自在の、シャッタを案内する溝付きの柱が準備されるとよい。
【００２５】
なお、前記巻取式シャッタの代わりにやはり建築部材として大量生産され、安価に入手可能な金属製のいわゆる雨戸が使用されてもよい。また、最も面積の小さい端面の一つに既設の開口にも、既設の観音扉に換えて、上記巻取式シャッタが用いられてもよい。
【００２６】
さらに説明を進めると、前記本体部分１０内の下部長手方向に、後述の燻煙発生炉３０からの複数本（図では３本）の燻煙供給用ダクトＤｋが敷設されており、その各ダクトＤｋには燻煙Ｋを噴出するための多数の細孔（図示省略）が穿けられている。その各ダクトＤｋの直上には燻煙Ｋを下から上に向かって通す水平の目板Ｇｒが設けられている。なお、その目板Ｇｒは上方で生じた燻煙凝縮物等の液体を下方へ通すことも出来る。
【００２７】
前記本体部分１０の天井面の長手方向に沿って、後述のボイラ４０、温水器３１からそれぞれスチームＳ、温水Ｈを導くライン（記号省略）が敷設されており、それぞれ本体部分１０内に散布するスチーム用、温水用ノズルＮｓ，Ｎｈが複数点設けられている。さらに、天井部にはモータＭによって回転し、内部のガスを撹拌し、循環させ、その濃度、温度を均一化させる天井ファンＡｇ（回転数可変）が設けられている。
【００２８】
前記本体部分１０の上面（図２では左端であるが、中央でもよい）には、それから排ガスを外へ放出するスタックＣｈが立設されており、排ガスを無害化するアフタバーナ（図示省略）が付設されている。また、その本体部分１０の上面に沿って前記燻煙発生炉３０からの燻煙Ｓその他のガスをスタックＣｈに導くバイパスダクトＤｆが設けられている。なお、本体部分１０との間には、その内部のガスを導く複数の連通管（記号省略）が接続されている。
【００２９】
その他、前記本体部分１０の内面には、シャッタ２２を除いて、軽量且つ保温性の高い木質セメントボード（図示省略）が張られており、また、前記シャッタ２２の内面に沿って開閉自在の、保温性に優れた材質よりなる少なくとも一重の保温カーテン２３が設けられている（重ねれば保温性が向上する）。また、前記本体部分１０内各部の温度、湿度の検出のためにセンサ（図面省略）が設置されている。さらに前記本体部分１０内面に沿って積載された木材Ｌの崩れを防止する木柱Ｐが適当数立設されている。
【００３０】
ここで図４により燻煙処理装置全体について説明すると、木材燻煙炉の他に、その本体部分１０内に供給する燻煙Ｋ、スチームＳをそれぞれ発生させる部分燃焼火格子式の燻煙発生炉３０や灯油焚きのボイラ４０や装置全体を監視し、制御する計器盤５０を備えている。前記燻煙発生炉３０には、間伐材、鋸屑等の廃木質片を押し込むプッシャ、燃焼用空気を押し込む押込ファン、助燃バーナ（いずれも図示省略）の他に、余熱を利用して温水Ｈを発生させる温水器３１が付設されている。なお、本発明の作用効果は、これらの燻煙発生炉３０、ボイラ４０、計器盤５０の種類や形式によって限定されるされるものではない。
【００３１】
木材Ｌの燻煙処理そのものについての説明は省略し、その前後の、本体部分１０への木材Ｌの搬入、搬出及び所望の燻煙処理条件が確保されるかどうかについて説明する。木材Ｌの搬入について説明すると、シャッタ２２及びその内側の保温カーテン２３が開かれ、木材の崩れ防止用の木柱Ｐのうち、前側のものが取り外された状態で、図示されない台板上に積載された木材Ｌがその台板と共に図示されないフォークリフトによって持ち上げられ、その前進によって、台車によることなく、開口Ｏから直接本体部分１０内に搬入される。木材Ｌの搬出の手順は上記搬入と反対であるが、略同様にフォークリフトによって容易に搬出される。  
【００３２】
その後、木材崩れ防止用の木柱Ｐが嵌め込まれ、保温カーテン２３、シャッタ２２が閉じられる。いずれも容易であって、直ちに燻煙処理が開始可能である。所望の燻煙処理条件が確保されるかどうかについて説明すると、保温性については、本体部分１０内面は、木質セメントボードが張られ、シャッタ２２の内側にも保温カーテン２３が介在し、内部の温度がせいぜい１５０℃と低いため、熱損失も少なく、所望の温度は容易に確保され、全く不安はない。
【００３３】
また、気密性については、元々コンテナは気密性高く作られているが、燻煙Ｓが押し込まれる等、僅かにプラスの圧力で運転されるため、開口Ｏ及びそれを閉じるシャッタ２２に若干の不安はあった。しかし、それも杞憂であって、隙間も小さく、それの流れ抵抗が大きいため、殆どガス洩れはなく、パテ等によって十分防止可能である。
【００３４】
効果について説明すると、開口Ｏが、前記本体部分１０の水平方向の長さが最大、又は側面のうちの大きい方の面Ａの一つに形成されると共に、その水平方向の長さが前記面Ａの水平方向の長さと略等しくなるよう設定されたものは、貨物輸送用のコンテナの転用の有無に関係なく、面積の最も小さい一側面に開口が設けられ、そのうえ、木材燻煙炉の内外には木材搬入を容易にする台車を案内するレールが敷設されていた従来例に比較して、間口が広く、奥行きが浅くなり、作業に当る作業員は閉じ込められたという感じがせず、検査、保守作業を容易に行なうことが出来る。
【００３５】
なお、奥行きの深さに如何では、上述のように、木材Ｌの搬入、搬出に台車もレールも必要でなく、フォークリフトのみによって直接可能となり、それだけ設備的負担が著しく軽減される。
【００３６】
そのうえ、開口Ｏの前に、本体部分１０の長手方向に平行な木材Ｌの搬入、搬出用の比較的狭いスペースがあればよく、従来例の、木材燻煙炉の外にも、処理される木材の最大長さに合わせてレールが延長され、それだけ長いスベースが確保されなければならないと言う問題点も併せて解消される。
【００３７】
貨物輸送用のコンテナ及びシャッタ２２は、いずれも大量生産品であって安価で入手可能であり、しかも、前者の貨物輸送用のコンテナは、形状、大きさ、気密性、構造強度の点で木材燻煙炉の本体部分１０として最適であって、開口Ｏの部分を除いて加工量も少なく、且つ加工容易であり、単に燻煙に必要な、主として安価な管類、保温材、天井ファンＡｇ、センサ等の部材が取り付けられるだけでよく、いずれも汎用品又は汎用品に近いものが使用可能であるため、その設備費が著しく低減される。
【００３８】
特に本体部分１０に、広く販売されており、著しく安価な貨物輸送用のコンテナの中古品が使用されれば、設備費はさらに大きく低減される。なお、面積の最も小さい一側面に既設の開口と扉がそのまま利用されれば、燻煙に必要な主として安価な部材の取り付けを除けば、加工部分は殆どない。
【図面の簡単な説明】
【００３９】
【図１】本発明に係わる木材燻煙炉を実施するための最良の形態を示す、図１の断面図である。
【図２】本発明に係わる木材燻煙炉を実施するための最良の形態を示す正面図である。
【図３】図２の断面図である。
【図４】本発明に係わる木材燻煙炉を含む全体設備を示すブロック図である。
【符号の説明】
【００４０】
１０    本体部分
２１    巻取部
２２    シャッタ
２３    保温カーテン
３１    温水器
４０    ボイラ
５０    計器盤
Ａ      左右方向の長さが最も大きい面
Ａｇ    天井ファン
Ｃｈ    スタック
Ｄｆ    バイパスダクト
Ｄｋ    燻煙供給用ダクト
Ｈ      温水
Ｇｒ    目板
Ｋ      燻煙
Ｌ      木材
Ｍ      モータ
Ｎｈ    温水用ノズル
Ｎｓ    スチーム用ノズル
Ｏ      開口
Ｐ      木柱
Ｓ      スチーム  
【図１】
2005096110.tif 000003
【図２】
2005096110.tif 000004
【図３】
2005096110.tif 000005
【図４】
2005096110.tif 000006